(57)【要約】【課題】  ＦＧ装置を用いることなく、光ディスクの回転が停止したか否かを容易に判断することができるようにする。【解決手段】  光ピックアップのフォーカスサーボをＯＮにして、光ピックアップにより検出されたフォーカス誤差信号の信号レベルを検出し、検出されたフォーカス誤差信号の信号レベルが略一定になったか否かを判別して、フォーカス誤差信号の信号レベルが略一定になったと判別された場合、光ディスクの回転が停止したと判断するようにする。【選択図】        図１
2007080334.tif 000002
【特許請求の範囲】
【請求項１】
光ディスクに情報データを記録／再生するディスク装置であって、
スピンドルモータを駆動する駆動信号をＯＦＦにし、スピンドルモータの回転を制動するブレーキ信号をＯＮにして、スピンドルモータの制動を開始する制動開始手段と、光ピックアップのフォーカスサーボをＯＮにするフォーカスサーボＯＮ手段と、光ピックアップにより検出されたフォーカス誤差信号の上限値、下限値、中心値のそれぞれの信号レベルを検出する信号レベル検出手段と、前記信号レベル検出手段により検出されたフォーカス誤差信号の上限値、下限値、中心値のそれぞれの信号レベルが略一定になったか否かを判別する判別手段と、前記判別手段によりフォーカス誤差信号の上限値、下限値、中心値のそれぞれの信号レベルが略一定になったと判別された場合、光ディスクの回転が停止したと判断する判断手段と、前記判断手段により光ディスクの回転が停止したと判断されたとき、スピンドルモータの回転を制動するブレーキ信号をＯＦＦにして、スピンドルモータの制動を停止する制動停止手段とを備えたことを特徴とするディスク装置。
【請求項２】
光ディスクに情報データを記録／再生するディスク装置であって、
スピンドルモータを駆動する駆動信号をＯＦＦにし、スピンドルモータの回転を制動するブレーキ信号をＯＮにして、スピンドルモータの制動を開始する制動開始手段と、光ピックアップのフォーカスサーボをＯＮにするフォーカスサーボＯＮ手段と、光ピックアップにより検出されたフォーカス誤差信号の信号レベルを検出する信号レベル検出手段と、前記信号レベル検出手段により検出されたフォーカス誤差信号の信号レベルが略一定になったか否かを判別する判別手段と、前記判別手段によりフォーカス誤差信号の信号レベルが略一定になったと判別された場合、光ディスクの回転が停止したと判断する判断手段と、前記判断手段により光ディスクの回転が停止したと判断されたとき、スピンドルモータの回転を制動するブレーキ信号をＯＦＦにして、スピンドルモータの制動を停止する制動停止手段とを備えたことを特徴とするディスク装置。
【請求項３】
前記信号レベル検出手段は、光ピックアップにより検出されたフォーカス誤差信号の上限値、下限値、中心値のそれぞれの信号レベルを検出する検出手段であることを特徴とする請求項２記載のディスク装置。
【請求項４】
前記判別手段は、前記信号レベル検出手段により検出されたフォーカス誤差信号の上限値、下限値、中心値のそれぞれの信号レベルが略一定になったか否かを判別する判別手段であることを特徴とする請求項３記載のディスク装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の光ディスクに情報データを記録再生するディスク装置に係り、特にＦＧ（Ｆｒｅｑｕｅｎｃｙ  Ｇｅｎｅｒａｔｏｒ）装置を用いることなく、光ディスクの回転停止を容易に判断することができるディスク装置に関する。
【背景技術】
【０００２】
一般に、光ディスクを回転させるスピンドルモータの回転速度に応じてＦＧ装置から出力されるＦＧ信号を検出して、検出されたＦＧ信号の有無に基づいて光ディスクの回転が停止したか否かを判断するようにしている。また、近年、光ディスクを回転させるスピンドルモータとして、ブラシ付き直流モータを採用したディスク装置が製品化されて市場に出荷されている。ブラシ付き直流モータの場合、直流モータの回転により発生する逆起電力を検出して、検出された逆起電力の有無に基づいて光ディスクの回転が停止したか否かを判断することができる。しかし、直流モータの回転により発生する逆起電力は、モータ駆動電圧の数％程度と非常に小さく、直流モータのロータの巻線に発生した逆起電力がブラシを介して検出されるため、検出された逆起電力にノイズが多く含まれる。そのため、ブラシ付き直流モータの場合に、光ディスクの回転が停止したか否かを判別する場合、ブラシ付き直流モータのスピンドルモータにブレーキパルスを断続的に印加して制動し、ブレーキパルスが印加されていない間に、ブラシ付き直流モータの回転により発生する逆起電力を検出するようにしている。しかし、ブラシ付き直流モータの回転を制動するために断続的にブレーキパルスを印加すると、モータの制動効率が低くなって光ディスクの回転が停止するまでに時間がかかり、また、断続的なブレーキパルスの印加によりブラシの消耗が早くなってブラシ付き直流モータの寿命が短くなるという問題点があった。
背景技術としては、ＲＦ（Ｒａｄｉｏ  Ｆｒｅｑｕｅｎｃｙ）信号に同期したリードクロック信号の周波数を第１の周波数として測定し、スピンドルモータに一定時間ブレーキをかけた後のリードクロック信号の周波数を第２の周波数として測定し、第１の周波数から第２の周波数を引いた周波数差と第１の周波数の測定時点から第２の周波数の測定時点までの計測時間とに基づいてブレーキ時間を算出し、算出されたブレーキ時間だけブレーキ信号をスピンドルモータに印加して光ディスクの回転を停止させるようにしたものがあった（例えば、特許文献１参照）。
また、フォーカスサーボＯＮ状態でスピンドルモータにブレーキをかけ、ＲＦ（Ｒａｄｉｏ  Ｆｒｅｑｕｅｎｃｙ）信号の中の最長パターン信号の変化に基づいてスピンドルモータの停止予測時間を算出し、算出された停止予測時間になるまでの間、スピンドルモータにブレーキをかけて光ディスクの停止が完了したと判断するようにしたものがあった（例えば、特許文献２参照）。
【特許文献１】特開２００４−１５８１０４号公報
【特許文献２】特開２００４−３２６９３１号公報
【発明の開示】
【発明が解決しようとする課題】
【０００３】
しかしながら、背景技術で述べたもののうち前者においては、ＲＦ信号に同期したリードクロック信号の周波数を第１の周波数として測定し、スピンドルモータに一定時間ブレーキをかけた後のリードクロック信号の周波数を第２の周波数として測定し、第１の周波数から第２の周波数を引いた周波数差と第１の周波数の測定時点から第２の周波数の測定時点までの計測時間とに基づいてブレーキ時間を算出し、算出されたブレーキ時間だけブレーキ信号をスピンドルモータに印加して光ディスクの回転を停止させることができたが、算出されたブレーキ時間スピンドルモータにブレーキ信号を印加して光ディスクの回転を停止させるようにしたものであって、光ディスクが回転していない場合、ＲＦ信号に同期したリードクロック信号を検出することができないため、光ディスクの回転が停止したか否かを判断することができないという問題点があった。
また、後者においては、フォーカスサーボＯＮ状態でスピンドルモータにブレーキをかけ、ＲＦ信号の中の最長パターン信号の変化に基づいてスピンドルモータの停止予測時間を算出し、算出された停止予測時間になるまでの間、スピンドルモータにブレーキをかけて光ディスクの回転の停止が完了したと判断することができたが、ＲＦ信号の中の最長パターン信号の変化に基づいて算出されたスピンドルモータの停止予測時間になるまでの間、スピンドルモータにブレーキをかけて光ディスクの回転が停止したと判断するようにしたものであって、光ディスクが回転していない場合、ＲＦ信号の中の最長パターン信号を検出することができないため、光ディスクの回転が停止したか否かを判断することができないという問題点があった。
本発明は、背景技術の有するこのような問題点に鑑みてなされたものであり、その目的とするところは、ＦＧ装置を用いることなく、光ディスクの回転が停止したか否かを容易に判断することができるディスク装置を提供しようとするものである。
【課題を解決するための手段】
【０００４】
上記目的を達成するため本発明においては、光ディスクに情報データを記録／再生するディスク装置であって、スピンドルモータを駆動する駆動信号をＯＦＦにし、スピンドルモータの回転を制動するブレーキ信号をＯＮにして、スピンドルモータの制動を開始する制動開始手段と、光ピックアップのフォーカスサーボをＯＮにするフォーカスサーボＯＮ手段と、光ピックアップにより検出されたフォーカス誤差信号の信号レベルを検出する信号レベル検出手段と、前記信号レベル検出手段により検出されたフォーカス誤差信号の信号レベルが略一定になったか否かを判別する判別手段と、前記判別手段によりフォーカス誤差信号の信号レベルが略一定になったと判別された場合、光ディスクの回転が停止したと判断する判断手段と、前記判断手段により光ディスクの回転が停止したと判断されたとき、スピンドルモータの回転を制動するブレーキ信号をＯＦＦにして、スピンドルモータの制動を停止する制動停止手段とを備える。
前記信号レベル検出手段は、光ピックアップにより検出されたフォーカス誤差信号の上限値、下限値、中心値のそれぞれの信号レベルを検出するようにするとよい。
前記判別手段は、前記信号レベル検出手段により検出されたフォーカス誤差信号の上限値、下限値、中心値のそれぞれの信号レベルが略一定になったか否かを判別するようにするとよい。
これらの手段により、ＦＧ装置を用いることなく、光ディスクの回転が停止したか否かを容易に判断することができる。
【発明の効果】
【０００５】
請求項１記載の発明に係るディスク装置によれば、スピンドルモータを駆動する駆動信号をＯＦＦにし、スピンドルモータの回転を制動するブレーキ信号をＯＮにして、スピンドルモータの制動を開始し、光ピックアップのフォーカスサーボをＯＮにして、光ピックアップにより検出されたフォーカス誤差信号の上限値、下限値、中心値のそれぞれの信号レベルを検出し、検出されたフォーカス誤差信号の上限値、下限値、中心値のそれぞれの信号レベルが略一定になったか否かを判別して、フォーカス誤差信号の上限値、下限値、中心値のそれぞれの信号レベルが略一定になったと判別されたとき、光ディスクの回転が停止したと判断して、スピンドルモータの回転を制動するブレーキ信号をＯＦＦにし、スピンドルモータの制動を停止するようにしているので、光ディスクの回転中に、光ディスクの面振れに応じて変動するフォーカス誤差信号の上限値、下限値、中心値のそれぞれの信号レベルの変動が略一定になったか否かを判別して、光ディスクの回転が停止してフォーカス誤差信号の信号レベルの変動が略一定になったとき、光ディスクの回転が停止したことを判断することができ、ＦＧ装置を用いることなく、光ディスクの回転が停止したか否かを容易に判断することができる。
請求項２記載の発明に係るディスク装置によれば、スピンドルモータを駆動する駆動信号をＯＦＦにし、スピンドルモータの回転を制動するブレーキ信号をＯＮにして、スピンドルモータの制動を開始し、光ピックアップのフォーカスサーボをＯＮにして、光ピックアップにより検出されたフォーカス誤差信号の信号レベルを検出し、検出されたフォーカス誤差信号の信号レベルが略一定になったか否かを判別して、フォーカス誤差信号の信号レベルが略一定になったと判別された場合、光ディスクの回転が停止したと判断して、スピンドルモータの回転を制動するブレーキ信号をＯＦＦにし、スピンドルモータの制動を停止するようにしているので、光ディスクの回転中に、光ディスクの面振れに応じて変動するフォーカス誤差信号の信号レベルの変動が略一定になったか否かを判別して、光ディスクの回転が停止してフォーカス誤差信号の信号レベルの変動が略一定になったとき、光ディスクの回転が停止したことを判断することができ、ＦＧ装置を用いることなく、光ディスクの回転が停止したか否かを容易に判断することができる。
請求項３記載の発明に係るディスク装置によれば、光ピックアップにより検出されたフォーカス誤差信号の上限値、下限値、中心値のそれぞれの信号レベルを検出するようにしているので、光ディスクの回転中に、光ディスクの面振れに応じて変動するフォーカス誤差信号の変動を容易に検出することができる。
請求項４記載の発明に係るディスク装置によれば、検出されたフォーカス誤差信号の上限値、下限値、中心値のそれぞれの信号レベルが略一定になったか否かを判別するようにしているので、光ディスクの回転中に、光ディスクの面振れに応じて変動するフォーカス誤差信号の信号レベルの変動が略一定になったか否かを容易に判別することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射してその反射光を検出し、光ディスク２に記録された情報データを読み出す光ピックアップ３と、光ディスク２を回転させるスピンドルモータ４と、スピンドルモータ４の回転速度をサーボ制御するスピンドルサーボ回路５と、光ピックアップ３を光ディスク２の半径方向にスレッド移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３の４分割光検出器（図示せず）により検出された信号を処理して、情報データのＲＦ信号、トラッキング誤差信号、フォーカス誤差信号をそれぞれ出力する信号処理回路１０と、信号処理回路１０から出力された情報データのＲＦ信号を増幅するＲＦ増幅回路１１と、信号処理回路１０から出力されたフォーカス誤差信号の信号レベルを検出する信号レベル検出回路１２と、ディスク装置１のシステム全体を制御するマイコン１３とで構成されている。
以上のように構成されたディスク装置について、以下その動作について説明する。
光ディスク２の記録／再生が終了すると、マイコン１３は、スピンドルサーボ回路５に制御信号を送出して、スピンドルモータ４を駆動する駆動信号をＯＦＦにし、スピンドルモータ４の回転を制動するブレーキ信号をＯＮにして、スピンドルモータ４の制動を開始する（図２（ａ）参照）。光ピックアップ３のフォーカスサーボがＯＮになっていない場合、マイコン１３は、フォーカスサーボ回路９に制御信号を送出して、光ピックアップ３のフォーカスサーボをＯＮにする。
スピンドルモータ４の回転の制動を開始すると、マイコン１３は、信号処理回路１０により信号処理されてフォーカスサーボ回路９に出力されたフォーカス誤差信号の上限値、下限値、中心値のそれぞれの信号レベルを信号レベル検出回路１２により繰り返して検出し（図２（ｂ）参照）、フォーカス誤差信号の上限値、下限値、中心値のそれぞれの信号レベルが略一定になったか否かを判別する。フォーカス誤差信号の上限値、下限値、中心値のそれぞれの信号レベルが略一定になった場合、マイコン１３は、光ディスク２の回転が停止したと判断し、スピンドルサーボ回路５に制御信号を送出して、スピンドルモータ４の回転を制動するブレーキ信号をＯＦＦにする（図２（ａ）参照）。これにより、光ディスク２の回転中に光ディスク２の面振れに応じて変動するフォーカス誤差信号の上限値、下限値、中心値のそれぞれの信号レベルを検出して、光ディスク２の回転が停止してフォーカス誤差信号の上限値、下限値、中心値のそれぞれの信号レベルが略一定になったとき、光ディスク２の回転が停止したと判断することができる。
また、フォーカス誤差信号の上限値、下限値、中心値の信号レベルが略一定になっていない場合、マイコン１３は、信号処理回路１０から出力されたフォーカス誤差信号の上限値、下限値、中心値のそれぞれの信号レベルを信号レベル検出回路１２により繰り返して検出し（図２（ｂ）参照）、フォーカス誤差信号の上限値、下限値、中心値のそれぞれの信号レベルが略一定になった場合、光ディスク２の回転が停止したと判断し、スピンドルサーボ回路５に制御信号を送出して、スピンドルモータ４の回転を制動するブレーキ信号をＯＦＦにする（図２（ａ）参照）。これにより、光ディスク２の回転中に光ディスク２の面振れに応じて変動するフォーカス誤差信号の上限値、下限値、中心値のそれぞれの信号レベルを検出して、光ディスク２の回転が停止してフォーカス誤差信号の上限値、下限値、中心値のそれぞれの信号レベルが略一定になったとき、光ディスク２の回転が停止したと判断することができる。
また、図３の本発明の一実施例のディスク装置の動作を示すフローチャートを基に説明する。
光ディスクの記録／再生が終了すると、ステップＳ１からステップＳ２に進み、ステップＳ２で、スピンドルモータを駆動する駆動信号がＯＦＦにされ、スピンドルモータの回転を制動するブレーキ信号がＯＮにされて、ステップＳ３に進む。
ステップＳ３で、光ピックアップのフォーカスサーボがＯＮになっているか否かが判断され、光ピックアップのフォーカスサーボがＯＮになっている場合、ステップＳ５に進み、光ピックアップのフォーカスサーボがＯＮになっていない場合、ステップＳ４に進む。
ステップＳ４で、光ピックアップのフォーカスサーボがＯＮにされて、ステップＳ５に進む。
ステップＳ５で、フォーカス誤差信号の上限値、下限値、中心値のそれぞれの信号レベルが検出されて、ステップＳ６に進む。
ステップＳ６で、フォーカス誤差信号の上限値、下限値、中心値のそれぞれの信号レベルが略一定になったか否かが判断され、フォーカス誤差信号の上限値、下限値、中心値のそれぞれの信号レベルが略一定になった場合、ステップＳ７に進み、フォーカス誤差信号の上限値、下限値、中心値のそれぞれの信号レベルが略一定になっていない場合、ステップＳ３に戻って、ステップＳ３からのステップを繰り返す。
ステップＳ７で、光ディスクの回転が停止したと判断され、スピンドルモータの回転を制動するブレーキ信号がＯＦＦにされて、ステップＳ８に進んで処理を終了する。
以上、本発明を実施するための最良の形態について詳述したが、本発明はこれに限定されるものではなく、当業者の通常の知識の範囲内でその変形や改良が可能である。例えば、記録面が１層の光ディスクの回転停止を判断することについて説明したが、記録面が２層の光ディスクの回転停止を判断することができることはいうまでもない。
また、光ディスクの回転が停止したと判断して、スピンドルモータの回転を瀬移動するブレーキ信号をＯＦＦにした後、スピンドルモータの回転により発生する逆起電力を検出して、検出された逆起電力の有無に基づいて光ディスクの回転停止を確認するようにしてもよい。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【符号の説明】
【０００８】
１  ディスク装置
２  光ディスク
３  光ピックアップ
４  スピンドルモータ
５  スピンドルサーボ回路
６  スレッドモータ
７  スレッドサーボ回路
８  トラッキングサーボ回路
９  フォーカスサーボ回路
１０  信号処理回路
１１  ＲＦ増幅回路
１２  信号レベル検出回路
１３  マイコン
【図１】
2007080334.tif 000003
【図２】
2007080334.tif 000004
【図３】
2007080334.tif 000005